(57)【要約】【課題】飛球などによる衝撃に耐えうる不燃性吸音壁およびその施工方法を提供する。【解決手段】吸音性を有する不燃性の壁１０であって、壁下地材１２と、この壁下地材１２の表側に取り付けられ、吸音性を有する二枚の有孔板１８、２０を壁厚方向に重ねて貼り合わせてなる不燃性の壁材１４とを備える。【選択図】図１
2019137975.tif 000002
【特許請求の範囲】
【請求項１】
吸音性を有する不燃性の壁であって、
壁下地材と、この壁下地材の表側に取り付けられ、吸音性を有する二枚の有孔板を壁厚方向に重ねて貼り合わせてなる不燃性の壁材とを備えることを特徴とする不燃性吸音壁。
【請求項２】
二枚の有孔板は、壁下地材の表側に取り付けられる密実な板材からなる１層目の有孔パネルと、１層目の有孔パネルの表側に貼り付けられる２層目の有孔パネルとからなり、１層目の有孔パネルは、２層目の有孔パネルを面支持することを特徴とする請求項１に記載の不燃性吸音壁。
【請求項３】
１層目の有孔パネルは有孔の合板または単板からなり、２層目の有孔パネルは有孔の火山性ガラス質複層板からなることを特徴とする請求項２に記載の不燃性吸音壁。
【請求項４】
壁材は、壁幅方向に間隔をあけて設けられた壁下地材の表側に取り付けられ、壁幅方向に隣り合う壁下地材の間には吸音材が設けられていることを特徴とする請求項１〜３のいずれか一つに記載の不燃性吸音壁。
【請求項５】
請求項１〜４のいずれか一つに記載の不燃性吸音壁を施工する方法であって、
壁材を構成する二枚の有孔板のうち壁下地材に近い側を１層目の有孔パネル、壁下地材から遠い側を２層目の有孔パネルとした場合に、
１層目の有孔パネルを壁下地材の表側にビス留めして固定するステップと、
壁下地材に固定した１層目の有孔パネルの表側に、２層目の有孔パネルを接着するステップとを備えることを特徴とする不燃性吸音壁の施工方法。
【発明の詳細な説明】
【技術分野】
【０００１】
本発明は、体育館などの建物の内壁に好適な不燃性吸音壁およびその施工方法に関するものである。
【背景技術】
【０００２】
従来、体育館などの室内壁においては、室内での発生音による残響の抑制を目的として、軽量鉄骨下地、石膏ボード、木胴縁などを用いて構成した板材の表面に、多数の穴を設けて吸音性を持たせた穴あきの有孔板を使用することが多い。
【０００３】
一方、体育館のような建物には、内装の仕上材料として不燃材を使用することが要請されている。体育館用の壁材としては、不燃性の火山性ガラス質複層板（例えば、ダイライト（登録商標））に穴あけをした不燃壁材（吸音材）を使用することが多い。
【０００４】
図７は、この不燃壁材を使用した従来の不燃性吸音壁の側断面図の例である。この図に示すように、この不燃性吸音壁は、軽量鉄骨１の表側に取り付けた石膏ボード２と、石膏ボード２の表側に木胴縁３を挟んで取り付けた有孔練付パネル４（不燃壁材）と、石膏ボード２と有孔練付パネル４との間の空隙に設けたグラスウール５とからなる。有孔練付パネル４としては、例えば火山性ガラス質複層板（例えば、ダイライト（登録商標））の表面に突板を練付けして穴あけしたパネルなどが用いられる。
【０００５】
なお、従来の壁材として、例えば特許文献１のような壁材が知られている。この壁材は、板状の基材の表側に、下地層と防水層と仕上層を設けたものである。
【先行技術文献】
【特許文献】
【０００６】
【特許文献１】特開２０１０−２０９５８５号公報
【発明の概要】
【発明が解決しようとする課題】
【０００７】
しかし、上記の従来の不燃性吸音壁は、室内で球技をした際に、球が当たって吸音材が割れてしまうことがあった。このため、吸音効果を確保するとともに、飛球などによる衝撃にも耐えうる不燃性吸音壁が求められていた。
【０００８】
本発明は、上記に鑑みてなされたものであって、飛球などによる衝撃に耐えうる不燃性吸音壁およびその施工方法を提供することを目的とする。
【課題を解決するための手段】
【０００９】
上記した課題を解決し、目的を達成するために、本発明に係る不燃性吸音壁は、吸音性を有する不燃性の壁であって、壁下地材と、この壁下地材の表側に取り付けられ、吸音性を有する二枚の有孔板を壁厚方向に重ねて貼り合わせてなる不燃性の壁材とを備えることを特徴とする。
【００１０】
また、本発明に係る他の不燃性吸音壁は、上述した発明において、二枚の有孔板は、壁下地材の表側に取り付けられる密実な板材からなる１層目の有孔パネルと、１層目の有孔パネルの表側に貼り付けられる２層目の有孔パネルとからなり、１層目の有孔パネルは、２層目の有孔パネルを面支持することを特徴とする。
【００１１】
また、本発明に係る他の不燃性吸音壁は、上述した発明において、１層目の有孔パネルは有孔の合板または単板からなり、２層目の有孔パネルは有孔の火山性ガラス質複層板からなることを特徴とする。
【００１２】
また、本発明に係る他の不燃性吸音壁は、上述した発明において、壁材は、壁幅方向に間隔をあけて設けられた壁下地材の表側に取り付けられ、壁幅方向に隣り合う壁下地材の間には吸音材が設けられていることを特徴とする。
【００１３】
また、本発明に係る不燃性吸音壁の施工方法は、上述した不燃性吸音壁を施工する方法であって、壁材を構成する二枚の有孔板のうち壁下地材に近い側を１層目の有孔パネル、壁下地材から遠い側を２層目の有孔パネルとした場合に、１層目の有孔パネルを壁下地材の表側にビス留めして固定するステップと、壁下地材に固定した１層目の有孔パネルの表側に、２層目の有孔パネルを接着するステップとを備えることを特徴とする。
【発明の効果】
【００１４】
本発明に係る不燃性吸音壁によれば、吸音性を有する不燃性の壁であって、壁下地材と、この壁下地材の表側に取り付けられ、吸音性を有する二枚の有孔板を壁厚方向に重ねて貼り合わせてなる不燃性の壁材とを備えるので、壁材は球が当たっても割れにくくなる。このため、室内での発生音による残響を抑制するとともに、割れにくい不燃性吸音壁を実現することができるという効果を奏する。
【００１５】
また、本発明に係る他の不燃性吸音壁によれば、二枚の有孔板は、壁下地材の表側に取り付けられる密実な板材からなる１層目の有孔パネルと、１層目の有孔パネルの表側に貼り付けられる２層目の有孔パネルとからなり、１層目の有孔パネルは、２層目の有孔パネルを面支持するので、２層目の有孔パネルは壁面外からの衝撃力に対する耐力が向上して、球が当たっても割れにくくなるという効果を奏する。
【００１６】
また、本発明に係る他の不燃性吸音壁によれば、１層目の有孔パネルは有孔の合板または単板からなり、２層目の有孔パネルは有孔の火山性ガラス質複層板からなるので、施工コストの低減を図ることができるという効果を奏する。
【００１７】
また、本発明に係る他の不燃性吸音壁によれば、壁材は、壁幅方向に間隔をあけて設けられた壁下地材の表側に取り付けられ、壁幅方向に隣り合う壁下地材の間には吸音材が設けられているので、壁の吸音性をより優れたものにすることができるという効果を奏する。
【００１８】
また、本発明に係る不燃性吸音壁の施工方法によれば、上述した不燃性吸音壁を施工する方法であって、壁材を構成する二枚の有孔板のうち壁下地材に近い側を１層目の有孔パネル、壁下地材から遠い側を２層目の有孔パネルとした場合に、１層目の有孔パネルを壁下地材の表側にビス留めして固定するステップと、壁下地材に固定した１層目の有孔パネルの表側に、２層目の有孔パネルを接着するステップとを備えるので、室内での発生音による残響を抑制するとともに、割れにくい不燃性吸音壁を実現することができるという効果を奏する。
【図面の簡単な説明】
【００１９】
【図１】図１は、本発明に係る不燃性吸音壁の実施の形態を示す側断面図である。
【図２】図２は、本発明に係る不燃性吸音壁の実施の形態を示す平断面図である。
【図３】図３は、図２のＡ部分の拡大図である。
【図４】図４は、図２のＢ部分の拡大図である。
【図５】図５は、本発明に係る不燃性吸音壁の１層目と２層目の有孔パネルの配置例を示す正面図である。
【図６】図６は、接着剤と両面テープの施工位置の一例を示す図である。
【図７】図７は、従来の不燃性吸音壁の一例を示す側断面図である。
【発明を実施するための形態】
【００２０】
以下に、本発明に係る不燃性吸音壁およびその施工方法の実施の形態を図面に基づいて詳細に説明する。なお、この実施の形態によりこの発明が限定されるものではない。
【００２１】
（不燃性吸音壁）
まず、本発明に係る不燃性吸音壁の実施の形態について説明する。
【００２２】
図１および図２に示すように、本実施の形態に係る不燃性吸音壁１０は、壁下地材としての軽量鉄骨１２と、この軽量鉄骨１２の表側に取り付けられた壁材１４と、軽量鉄骨１２間に設けられた吸音材としてのグラスウール１６とを備える。軽量鉄骨１２は、高さ方向Ｚに延在し、壁幅方向Ｙに間隔をあけて複数設けられている。
【００２３】
壁材１４は、吸音性を有する二枚の有孔パネル（有孔板）を壁厚方向Ｘに重ねて貼り合わせた不燃壁材で構成されている。１層目の有孔パネル１８は、軽量鉄骨１２に近い側に配置され、２層目の有孔パネル２０は、軽量鉄骨１２から遠い側に配置される。有孔パネル１８、２０にあけられた複数の孔２２は、正面から見て１層目と２層目で同じ位置に設けられている。
【００２４】
１層目の有孔パネル１８は、例えば有孔のベニヤ板（合板または単板）などの密実な穴あき板材で構成することができる。有孔のベニヤ板としては、例えばラワンベニヤ板を穴あけし、不燃薬剤を含浸して不燃化した有孔ラワンベニヤ板を用いてもよい。
【００２５】
２層目の有孔パネル２０は、例えば吸音性と不燃性に優れた有孔の木練付パネルで構成することができる。この木練付パネルとしては、有孔の不燃性の火山性ガラス質複層板（例えば、ダイライト（登録商標））を下地材として、その表面に木目調の突板を練付けした有孔パネルを用いてもよい。
【００２６】
図３に示すように、１層目の有孔パネル１８は、軽量鉄骨１２の表側に、ガラスクロス２４を挟んでビス２６で固定される。１層目と２層目の有孔パネル１８、２０は、両面テープ３０と接着剤３２で貼り合わされる。この１層目有孔パネル１８は、２層目の有孔パネル２０を面で支えるように作用する。
【００２７】
図５に示すように、壁材１４は、矩形板状の各有孔パネル１８、２０を上下左右に複数並列配置して構成される。１層目と２層目の有孔パネル１８、２０は同程度の縦横寸法（縦長さＨ×横長さＬ）となっており、上下左右の有孔パネル間の継ぎ目が１層目と２層目で一致しないように、各有孔パネル１８、２０は壁の正面視で千鳥状に配置される。図４に示すように、２層目の有孔パネル２０間の継ぎ目となる部分には、有孔パネル１８の表側に目地テープ２８が設けられる。
【００２８】
なお、本実施の形態では、軽量鉄骨１２の厚さと幅が１００ｍｍ程度、１層目の有孔パネル１８の厚さが１０ｍｍ程度、２層目の有孔パネル２０の厚さが５ｍｍ程度を想定している。また、各有孔パネル１８、２０の縦横寸法は１枚当たりＨ＝９００ｍｍ、Ｌ＝１８００ｍｍ程度を想定している。孔２２の配置間隔は３５ｍｍ程度、軽量鉄骨１２の配置間隔は３００ｍｍ程度を想定している。
【００２９】
本実施の形態によれば、吸音性に優れた２層目の有孔パネル２０が密実な１層目の有孔パネル１８で面で支えられることにより、２層目の有孔パネル２０は、面外からの衝撃力に対する耐力が向上する。このため、壁材１４は球が当たっても割れにくくなる。したがって、室内での発生音による残響を抑制するとともに、割れにくい不燃性吸音壁を実現することができる。
【００３０】
また、本実施の形態の不燃性吸音壁１０は、安価なベニヤ板と火山性ガラス質複層板を貼り合わせて施工可能であることから、低コストで施工することができる。また、図７の従来の不燃性吸音壁から石膏ボード、木胴縁を排除した構成であることから、従来に比べて組み付け作業と材料コストが削減され、施工コストの低減を図ることができる。
【００３１】
（不燃性吸音壁の施工方法）
次に、本発明に係る不燃性吸音壁の施工方法の実施の形態について説明する。本実施の形態では、上述した不燃性吸音壁１０を以下の手順で施工する。
【００３２】
まず、図２に示すように、左右方向に間隔をあけて軽量鉄骨１２を複数設置し、グラスウール１６を軽量鉄骨１２の厚さ内に収まるようにピン留めする。続いて、１層目の有孔パネル１８を軽量鉄骨１２の表側にガラスクロス２４を挟んでビス留めする。
【００３３】
次に、１層目の有孔パネル１８の表面に、両面テープ３０を貼り、接着剤３２を塗布するとともに、所定の位置に目地テープ２８を施す。両面テープ３０および接着剤３２の配置例を図６に示す。
【００３４】
次に、２層目の有孔パネル２０を、１層目の有孔パネル１８の表面に貼り付ける。このとき、両面テープ３０は、接着剤３２が固まるまで２層目の有孔パネル２０を支持するように作用する。
【００３５】
このような施工手順により、室内での発生音による残響を抑制するとともに、割れにくい不燃性吸音壁１０を施工することができる。また、この不燃性吸音壁１０は、安価なベニヤ板と火山性ガラス質複層板を貼り合わせて施工可能であることから、低コストで施工することができる。さらに、この不燃性吸音壁１０は、石膏ボード、木胴縁を備えない構成であることから、組み付け作業と材料コストが削減され、施工コストの低減を図ることができる。
【００３６】
以上説明したように、本発明に係る不燃性吸音壁によれば、吸音性を有する不燃性の壁であって、壁下地材と、この壁下地材の表側に取り付けられ、吸音性を有する二枚の有孔板を壁厚方向に重ねて貼り合わせてなる不燃性の壁材とを備えるので、壁材は球が当たっても割れにくくなる。このため、室内での発生音による残響を抑制するとともに、割れにくい不燃性吸音壁を実現することができる。
【００３７】
また、本発明に係る他の不燃性吸音壁によれば、二枚の有孔板は、壁下地材の表側に取り付けられる密実な板材からなる１層目の有孔パネルと、１層目の有孔パネルの表側に貼り付けられる２層目の有孔パネルとからなり、１層目の有孔パネルは、２層目の有孔パネルを面支持するので、２層目の有孔パネルは壁面外からの衝撃力に対する耐力が向上して、球が当たっても割れにくくなる。
【００３８】
また、本発明に係る他の不燃性吸音壁によれば、１層目の有孔パネルは有孔の合板または単板からなり、２層目の有孔パネルは有孔の火山性ガラス質複層板からなるので、施工コストの低減を図ることができる。
【００３９】
また、本発明に係る他の不燃性吸音壁によれば、壁材は、壁幅方向に間隔をあけて設けられた壁下地材の表側に取り付けられ、壁幅方向に隣り合う壁下地材の間には吸音材が設けられているので、壁の吸音性をより優れたものにすることができる。
【００４０】
また、本発明に係る不燃性吸音壁の施工方法によれば、上述した不燃性吸音壁を施工する方法であって、壁材を構成する二枚の有孔板のうち壁下地材に近い側を１層目の有孔パネル、壁下地材から遠い側を２層目の有孔パネルとした場合に、１層目の有孔パネルを壁下地材の表側にビス留めして固定するステップと、壁下地材に固定した１層目の有孔パネルの表側に、２層目の有孔パネルを接着するステップとを備えるので、室内での発生音による残響を抑制するとともに、割れにくい不燃性吸音壁を実現することができる。
【産業上の利用可能性】
【００４１】
以上のように、本発明に係る不燃性吸音壁およびその施工方法は、体育館などの建物の内壁に有用であり、特に、飛球などによる面外からの衝撃力に対する耐力を向上するのに適している。
【符号の説明】
【００４２】
１０  不燃性吸音壁
１２  軽量鉄骨（壁下地材）
１４  壁材
１６  グラスウール（吸音材）
１８  １層目の有孔パネル（有孔板）
２０  ２層目の有孔パネル（有孔板）
２２  孔
２４  ガラスクロス
２６  ビス
２８  目地テープ
３０  両面テープ
３２  接着剤
【図１】
2019137975.tif 000003
【図２】
2019137975.tif 000004
【図３】
2019137975.tif 000005
【図４】
2019137975.tif 000006
【図５】
2019137975.tif 000007
【図６】
2019137975.tif 000008
【図７】
2019137975.tif 000009